(57)【特許請求の範囲】
【請求項１】
パネルフレームと外装材との間に外張り断熱材が設けられると共に、外張り断熱材と外装材との間であって外張り断熱材の側部の側に通気層形成用の上下方向に延びるスペーサーが設けられ、かつ、該側部スペーサーと外張り断熱材との間にそれらの間を通じて通気層から外張り断熱材の側面部に回り込む水の移動を阻止する防水材が介設されており、
前記外張り断熱材は、ボード状の繊維系断熱材からなり、該ボード状繊維系断熱材は、その屋外側の面部に透湿防水シートを備え、前記防水材は、該透湿防水シートと前記スペーサーとの間に介設され、
前記防水材は、ブチルゴム系の粘着テープ材からなって、前記側部スペーサーと透湿防水シートとを水密防水状態に粘着一体化することで、ボード状繊維系断熱材と透湿防水シートを通じて通気層に送り込まれた室内の湿気に起因して通気層内で生じた水分が側部スペーサーと透湿防水シートとの間を通じてボード状繊維系断熱材の側面部に回り込むのを阻止するようになされていると共に、前記側部スペーサーと外張り断熱材をパネルフレームに取り付けているビスが前記ブチルゴム系テープ材を貫通していることで、水分がビス貫通部を通じて侵入しないようになされていることを特徴とする外張り断熱通気外壁パネル。
【請求項２】
外張り断熱材と外装材との間であって外張り断熱材の側部の側に通気層形成用の上下方向に延びるスペーサーが設けられ、該側部スペーサーと外張り断熱材との間にそれらの間を通じて通気層から外張り断熱材の側面部に回り込む水の移動を阻止する防水材が介設されており、
前記外張り断熱材は、ボード状の繊維系断熱材からなり、該ボード状繊維系断熱材は、その屋外側の面部に透湿防水シートを備え、前記防水材は、該透湿防水シートと前記スペーサーとの間に介設され、
前記防水材は、ブチルゴム系の粘着テープ材からなって、前記側部スペーサーと透湿防水シートとを水密防水状態に粘着一体化することで、ボード状繊維系断熱材と透湿防水シートを通じて通気層に送り込まれた室内の湿気に起因して通気層内で生じた水分が側部スペーサーと透湿防水シートとの間を通じてボード状繊維系断熱材の側面部に回り込むのを阻止するようになされていると共に、前記側部スペーサーと外張り断熱材を貫通しているビスが、前記ブチルゴム系テープ材を貫通していることで水分がビス貫通部を通じて侵入しないようになされていることを特徴とする外張り断熱通気外壁構造。
【発明の詳細な説明】
【技術分野】
【０００１】
本発明は、外張り断熱通気外壁パネル及び外張り断熱通気外壁構造に関する。
【背景技術】
【０００２】
建物における外張り断熱通気外壁構造において、外装材と外張り断熱材との間に通気層を設ける場合は、該通気層内の水分が建物の内部に侵入してしまうのを確実に防いでおく必要がある。
【特許文献１】特開２００４−２４４９６８号公報
【発明の開示】
【発明が解決しようとする課題】
【０００３】
本発明は、上記のような必要性に鑑み、外装材と外張り断熱材との間の通気層内の水分が建物の内部に侵入してしまうのを確実に防ぐことができる外張り断熱通気外壁パネル及び外張り断熱通気外壁構造を提供することを課題とする。
【課題を解決するための手段】
【０００４】
上記の課題は、パネルフレームと外装材との間に外張り断熱材が設けられると共に、外張り断熱材と外装材との間であって外張り断熱材の側部の側に通気層形成用の上下方向に延びるスペーサーが設けられ、かつ、該側部スペーサーと外張り断熱材との間にそれらの間を通じた水の移動を阻止する防水材が介設されていることを特徴とする外張り断熱通気外壁パネルによって解決される（第１発明）。
【０００５】
また、外張り断熱材と外装材との間であって外張り断熱材の側部の側に通気層形成用の上下方向に延びるスペーサーが設けられ、該側部スペーサーと外張り断熱材との間にそれらの間を通じた水の移動を阻止する防水材が介設されていることを特徴とする外張り断熱通気外壁構造によって解決される（第２発明）。
【０００６】
これらの発明では、通気層を形成する側部スペーサーと外張り断熱材との間に防水材が介設されているので、該防水材によって、通気層内の水分が、側部スペーサーと外張り断熱材との間を通じて外張り断熱材の側面部に回り込んで建物の内部に侵入してしまうのを防ぐことができ、通気層内の水分が建物の内部に侵入してしまうのを確実に防ぐことができる。
【０００７】
第１，第２発明において、前記外張り断熱材が、ボード状の繊維系断熱材からなり、該ボード状繊維系断熱材はその屋外側の面部に透湿防水シートを備え、前記防水材が該透湿防水シートと前記スペーサーとの間に介設されているとよい（第３発明）。
【０００８】
この場合は、室内の湿気をボード状繊維系断熱材と透湿防水シートを通じて通気層に送り込まれて外に排出することができ、
しかも、その湿気に起因して通気層内で生じた水分が透湿防水シートと前記側部スペーサーとの間を通じて建物の内部に侵入してしまうのを防水材が防いで、通気層内の水分が建物の内部に侵入してしまうのを確実に防ぐことができる。
【０００９】
第１〜第３発明において、前記防水材が粘着テープ材からなる場合（第４発明）は、該粘着テープ材の貼付けを行っていくだけでよく、施工が容易で、防水材をきれいに設けていくことができ、養生期間も短く、防水材の施工を能率良く行っていくことができる。
【００１０】
第１〜第３発明において、前記防水材がブチルゴム系のテープ材からなり、前記側部スペーサーと外張り断熱材をパネルフレーム又は建物の構造材に取り付けているビスが、前記ブチルゴム系テープ材を貫通しているとよい（第５発明）。
【００１１】
この場合は、第４発明と同様の作用効果が奏されるのはもちろん、ビスとブチルゴム系テープ材との間が、ブチルゴム系テープ材によって止水されるので、水分がビス貫通部を通じて建物の内部に侵入するのを確実に防ぐことができ、しかも、それを、ブチルゴム系テープ材を用いた簡素な構造で実現することができる。
【発明の効果】
【００１２】
本発明は、以上のとおりのものであるから、外装材と外張り断熱材との間の通気層内の水分が建物の内部に侵入してしまうのを確実に防ぐことができる。
【発明を実施するための最良の形態】
【００１３】
次に、本発明の実施最良形態を図面に基づいて説明する。
【００１４】
図１に示す実施形態において、１，１は外張り断熱通気外壁パネル、２は構造用の鋼製柱である。
【００１５】
各外壁パネル１は、柱２と共に建物の構造材を構成する鋼製のパネルフレーム３と、窯業系などからなる外装材４とを備え、パネルフレーム３と外装材４との間に外張り断熱材５が設けられると共に、外張り断熱材５と外装材４との間であって外張り断熱材５の側部の側に通気層形成用の上下方向に延びる側部スペーサー６が設けられ、該側部スペーサー６によって、外装材４と外張り断熱材５との間に通気層７が形成されている。なお、側部スペーサー６は、樹脂などからなっている。
【００１６】
本実施形態では、外張り断熱材５は、ボード状の繊維系断熱材からなっており、該ボード状繊維系断熱材５の屋外側の面部には透湿防水シート８が一体的に備えられており、該透湿防水シート８と外装材４との間に通気層７が形成されるかたちとなっている。
【００１７】
そして、側部スペーサー６と透湿防水シート８との間には防水材９が介設され、通気層７内の水分が側部スペーサー６と透湿防水シート８との間を通じて外張り断熱材５の側面の側に回り込むのを防水材９が阻止するようになされている。
【００１８】
該防水材９は、ブチルゴム系の粘着テープ材からなっており、図２（イ）（ロ）に示すように、側部スペーサー６と、外張り断熱材５の透湿防水シート８とのいずれか一方に貼り付けられ、もう一方が重ねられることによって、それらが水密防水状態に粘着一体化されている。
【００１９】
そして、本実施形態では、図２（ロ）（ハ）に示すように、側部スペーサー６と外張り断熱材５とは、ビス１０でパネルフレーム３に取り付けられ、該ビス１０は、ブチルゴム系テープ材からなる防水材９を貫通することで、水分がビス１０の貫通部を通じて建物の内部に侵入するのが防がれるようになされている。なお、ビス１０の打ち込みによって、外張り断熱材５が沈み込みを生じないよう、外張り断熱材５には、ビス１０の打ち込みを行う部位において補強材が設けられているとよい。
【００２０】
外装材４は、図２（ハ）（ニ）に示すように、上記のスペーサー６を下地として取り付けられ、こうして、外壁パネル１が構成されている。なお、外装材４は、側部スペーサー６と外張り断熱材５と共に、ビス１０でパネルフレーム３に取り付けられた構造となっていてもよい。
【００２１】
外壁の施工は、図３に示すように、屋外側の面部に柱部外断熱材１１を介して二次止水材１２を取り付けた鋼製柱２に対し、左右の外壁パネル１，１をそれらのパネルフレーム３，３が前記柱２を両側から挟むように設置した後、左右の外壁パネル１，１間の目地１３にガスケットなどによる一次止水材１４を設けるというようにして行われる。なお、１５は石膏ボード等の内装板、１６，１７は断熱材であり、図１（イ）において、１８は防湿材としてのアルミ蒸着シート、１９は空気層である。
【００２２】
上記の外張り断熱通気外壁構造では、室内の湿気がボード状繊維系断熱材５と透湿防水シート８を通じて通気層７に送り込まれて屋外に排出されるが、該湿気の一部が通気層７内で結露水となることがあり、その結露水が透湿防水シート８と側部スペーサー６との間を通じてボード状繊維系断熱材５の側面の側に回り込んでしまうのを、透湿防水シート８と側部スペーサー６の間に介設されている防水材９が阻止し、それによって、通気層７内の水分が建物の内部に侵入してしまうのを確実に防ぐことができる。もちろん、他の要因で、通気層７内に存在する水分についても、それが建物の内部に侵入してしまうのを確実に防ぐことができる。
【００２３】
なお、通気層７から、側部スペーサー６と外装材４との間を通じて目地１３の側に移動する水分については、一次止水材１４あるいは二次止水材１２によって止水されるので、側部スペーサー６と外装材４との間については、止水処理が施されていても、いなくてもよい。
【００２４】
以上に、本発明の実施形態を示したが、本発明はこれに限られるものではなく、発明思想を逸脱しない範囲で各種の変更が可能である。例えば、上記の実施形態では、外張り断熱材５が、屋外側の面部に透湿防水シート８を設けたボード状の繊維系断熱材からなっている場合を示したが、発泡樹脂断熱材からなっていてもよい。
【００２５】
また、上記の実施形態では、外壁パネル１を用いた外張り断熱通気外壁構造に適用した場合を示したが、第２発明では、現場において、柱等の構造材に対して、外張り断熱材と、通気層形成用のスペーサーと、外装材とを取り付けていく形式の外張り断熱通気外壁構造において、スペーサーと外張り断熱材との間に上記のような防水材を介設した構造に構成されていてもよい。
【図面の簡単な説明】
【００２６】
【図１】実施形態の外張り断熱通気外壁パネル及び外張り断熱通気外壁構造を示すもので、図（イ）は断面平面図、図（ロ）はその要部拡大断面平面図である。
【図２】図（イ）は外張り断熱材と透湿防水シートと防水材と側部スペーサーとを分離状態にして示す断面正面図、図（ロ）〜図（ニ）は外壁パネルの製作工程を順次に示す断面正面図である。
【図３】外張り断熱通気外壁パネルを用いて形成される外張り断熱通気外壁構造の分解断面平面図である。
【符号の説明】
【００２７】
１…外壁パネル
３…パネルフレーム
４…外装材
５…外張り断熱材（ボード状繊維系断熱材）
６…側部スペーサー
７…通気層
８…透湿防水シート
９…防水材
１０…ビス
【図１】
0005443685.tif 000002
【図２】
0005443685.tif 000003
【図３】
0005443685.tif 000004